(57)【要約】  【課題】  外観を重視するとともに電話機に傷が付くおそれが少ない電話置き台を提供する。  【解決手段】  この電話置き台のケース１は絶縁樹脂製の上ケース２と絶縁樹脂製の下ケース３を備え、両者をビスなどの適宜手段で互いに固定してケース１を構成している。そして、ケース１(上ケース２)に、図外の電話機の端子に接触可能な充電端子４を設けるとともに、この充電端子４への電圧印加を開閉可能なスイッチ５を設けている。さらに、前記ケース１(上ケース２)の上面凹部面６を前記スイッチ５の作動体として構成している。より具体的に言えば、前記上面凹部面６の一端はヒンジ７を介してケース１(上ケース２)の一端につながり、他端を自由端としている。【選択図】  図１
2005167521.tif 000002
【特許請求の範囲】
【請求項１】
ケースに、電話機の端子に接触可能な充電端子を設けるとともに、この充電端子への電圧印加を開閉可能なスイッチを設けた電話置き台であって、前記ケースの上面凹部面を前記スイッチの作動体として構成した電話置き台。
【請求項２】
請求項１において、前記上面凹部面の一端はヒンジを介してケースの一端につながり、他端を自由端とした電話置き台。
【請求項３】
ケースに、電話機の端子に接触可能な充電端子を設けるとともに、この充電端子への電圧印加を開閉可能なスイッチを設けた電話置き台であって、前記スイッチの作動体を前記ケースの底面に突出した電話置き台。
【発明の詳細な説明】
【技術分野】
【０００１】
本発明は、携帯電話機を充電する電話置き台に関する。
【背景技術】
【０００２】
ケースに、電話機の端子に接触可能な充電端子を設けるとともに、この充電端子への電圧印加を開閉可能なスイッチを設けた電話置き台は特許文献１で公知であり、電話機を置き台に置いたときに、置き台の上面に突出している作動ボタンが押し込まれて前記スイッチが閉じられることにより、前記充電端子に電圧が印加され、電話機の端子を介して電話機内の電池を充電できるようにしている。
【特許文献１】特開２００３−２８９３６２号公報
【発明の開示】
【発明が解決しようとする課題】
【０００３】
しかし、前記作動ボタンは置き台の上面に露出されているため、外観面で好ましくはない上、電話機を置こうとする際に前記作動ボタンに衝突することで電話機に傷が付くおそれも考えられる。従って、本発明はこのような解決すべき課題を鑑み、外観を重視するとともに電話機に傷が付くおそれが少ない電話置き台を提供することを目的とする。
【課題を解決するための手段】
【０００４】
第一発明は、ケースに、電話機の端子に接触可能な充電端子を設けるとともに、この充電端子への電圧印加を開閉可能なスイッチを設けた電話置き台であって、前記ケースの上面凹部面を前記スイッチの作動体として構成した電話置き台である。
第二発明は、ケースに、電話機の端子に接触可能な充電端子を設けるとともに、この充電端子への電圧印加を開閉可能なスイッチを設けた電話置き台であって、前記スイッチの作動体を前記ケースの底面に突出した電話置き台である。
【発明の効果】
【０００５】
第一発明によれば、ケースの上面凹部面をスイッチの作動体として構成したため、外観がよい上、上面凹部面で電話機を受け止めるため、電話機に傷が付くおそれが少ない。第二発明でも、スイッチの作動体をケースの底面に突出したため、同様な効果がある。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
第一実施形態を図１〜３を参照して説明すると、この電話置き台のケース１は絶縁樹脂製の上ケース２と絶縁樹脂製の下ケース３を備え、両者をビスなどの適宜手段で互いに固定してケース１を構成している。そして、ケース１(上ケース２)に、図外の電話機の端子に接触可能な充電端子４を設けるとともに、この充電端子４への電圧印加を開閉可能なスイッチ５を設けている。さらに、前記ケース１(上ケース２)の上面凹部面６を前記スイッチ５の作動体として構成している。より具体的に言えば、前記上面凹部面６の一端はヒンジ７を介してケース１(上ケース２)の一端につながり、他端を自由端としている。
【０００８】
さらに詳述すれば、ケース１の内部にはプリント基板８が上ケース２と下ケース３とで挟まれるように固定され、プリント基板８の一端に接続固定されたコネクター９に図外の直流電源からのコネクターが接続されるものである。これにより前記直流電源の電圧はスイッチ５を介してプリント基板８の他端に接続された導電バネ線１０に供給可能になっており、導電バネ線１０の端部が前記充電端子４としてケース１(上ケース２)の内側面に突出されている。なお、上面凹部面６を上向きに付勢するコイル状のバネ１１をプリント基板８から立ち上げるとより好ましい。
【０００９】
図１は電話機が置かれていないときを示し、上面凹部面６に電話機の重量が加わっていないので、上面凹部面６の下面に突出させた作動片１２はスイッチ５を押圧作動させていなく、スイッチ５は開状態にある。これにより、コネクター９から取りこまれた電圧は導電バネ線１０に印加されなく、充電端子４にもその電圧が印加されないため、金属線などで不用意に触れても複数の充電端子４−４間を短絡させたりするおそれがない。次に、図２は電話機が置かれたときを示し、上面凹部面６に電話機の重量が加わっているので、作動片１２はスイッチ５を押圧作動させており、スイッチ５は閉状態にある。これにより、コネクター９から取りこまれた電圧は導電バネ線１０に印加されており、充電端子４にもその電圧が印加されて、電話機が充電される。なお、Ｆは床やテーブルなどの載置面である。
【００１０】
次に、第二実施形態を図４〜６を参照して説明すると、ケース１に、図外の電話機の端子に接触可能な充電端子４を設けるとともに、この充電端子４への電圧印加を開閉可能なスイッチ５を設けた電話置き台であって、前記スイッチ５の作動体１３を前記ケース１(下ケース３)の底面に突出した電話置き台である。この場合、スイッチ５の内部に作動体１３を下向きに付勢するバネを設けておくとよい。
【００１１】
図４は電話機が置かれていないときを示し、電話機の重量が加わっていないので、作動体１３は突出していてスイッチ５は押圧作動されていなく、スイッチ５は開状態にある。これにより、コネクター９から取りこまれた電圧は導電バネ線１０に印加されなく、充電端子４にもその電圧が印加されないため、金属線などで不用意に触れても充電端子４−４間を短絡させたりするおそれがない。次に、図５は電話機が置かれたときを示し、電話機の重量が加わっているので、作動体１３が押し込まれてスイッチ５が押圧作動されており、スイッチ５は閉状態にある。これにより、コネクター９から取りこまれた電圧は導電バネ線１０に印加されており、充電端子４にもその電圧が印加されて、電話機が充電される。なお、Ｆは床やテーブルなどの載置面であるが、引火しやすいフトンやじゅうたんの上では電話機の重量による作動体１３が押し込みは期待できないため、置き台が焼損するおそれは実質あり得ず、フトンやじゅうたんへの引火事故も実質皆無になる。
【００１２】
第一実施形態によれば、ケース１の上面凹部面６をスイッチ５の作動体として構成したため、外観がよい上、上面凹部面６で電話機を受け止めるため、電話機に傷が付くおそれが少ない。第二実施形態でも、スイッチ５の作動体１３をケース１の底面に突出したため、同様な効果がある。
【図面の簡単な説明】
【００１３】
【図１】第一実施形態を示す断面図
【図２】同電話機を置いたときに相当する断面図
【図３】同上面図
【図４】第二実施形態を示す断面図
【図５】同電話機を置いたときに相当する断面図
【図６】同底面図
【符号の説明】
【００１４】
１  ケース
４  充電端子
５  スイッチ
６  上面凹部面
７  ヒンジ
１３  作動体
【図１】
2005167521.tif 000003
【図２】
2005167521.tif 000004
【図３】
2005167521.tif 000005
【図４】
2005167521.tif 000006
【図５】
2005167521.tif 000007
【図６】
2005167521.tif 000008